(57)【要約】【課題】【解決手段】テーブル一体型コンピュータ制御プロジェクタユニットは、（ａ）少なくとも一つのテーブルと、（ｂ）前記テーブルに接続されたスタンドと、（ｃ）コンピュータによって制御されるプロジェクタと、（ｄ）前記スタンドに取付けられた映像システムと、を備え、前記映像システムによって前記テーブル上に映像を投影可能である。このユニットは、テーブルとコンピュータ制御プロジェクタユニットの両方を組合わせたものであるので、簡単に設置することでき、いずれの天井配線も必要としない。【選択図】  図１
2013502606.tif 000002
【特許請求の範囲】
【請求項１】
（ａ）少なくとも一つのテーブルと、
（ｂ）前記テーブルに接続されたスタンドと、
（ｃ）コンピュータによって制御されるプロジェクタと、
（ｄ）前記スタンドに取付けられた映像システムと、を備え、
前記映像システムによって前記テーブル上に映像を投影可能であることを特徴とするテーブル一体型コンピュータ制御プロジェクタユニット。
【請求項２】
前記映像システムは、プロジェクタであって、前記テーブルが前記スタンドによって支持されることを特徴とする請求項１に記載のテーブル一体型コンピュータ制御プロジェクタユニット。
【請求項３】
前記プロジェクタは、前記スタンドに取り付けられ、前記テーブルの上方に配置されることを特徴とする請求項１又は２に記載のテーブル一体型コンピュータ制御プロジェクタユニット。
【請求項４】
前記映像システムは、前記プロジェクタからの光を前記テーブルの上に反射するように向けられたミラーであることを特徴とする請求項１に記載のテーブル一体型コンピュータ制御プロジェクタユニット。
【請求項５】
前記プロジェクタは、前記スタンドに取り付けられ、前記テーブルの下方に配置されることを特徴とする請求項４に記載のテーブル一体型コンピュータ制御プロジェクタユニット。
【請求項６】
前記映像システムは、笠によって囲まれていることを特徴とすることを特徴とする請求項１乃至５の何れか１項に記載のテーブル一体型コンピュータ制御プロジェクタユニット。
【請求項７】
前記テーブルは、前記コンピュータに接続される一つ以上の統合カーソル制御デバイスを含むことを特徴とする請求項１乃至６の何れか１項に記載のテーブル一体型コンピュータ制御プロジェクタユニット。
【請求項８】
前記カーソル制御デバイスは、前記コンピュータに無線で接続されるトラックパッドであることを特徴とする請求項７に記載のテーブル一体型コンピュータ制御プロジェクタユニット。
【請求項９】
前記コンピュータは、前記テーブルの下方に取付けられることを特徴とする請求項１乃至８の何れか１項に記載のテーブル一体型コンピュータ制御プロジェクタユニット。 
【請求項１０】
前記コンピュータは、リモートサーバに接続されることを特徴とする請求項１乃至９の何れか１項に記載のテーブル一体型コンピュータ制御プロジェクタユニット。
【請求項１１】
前記コンピュータは、電子ＰＯＳ端末に接続されることを特徴とする請求項１乃至１０の何れか１項に記載のテーブル一体型コンピュータ制御プロジェクタユニット。
【請求項１２】
前記コンピュータは、ワイヤレスで又はケーブルによって前記リモートサーバ及び前記電子ＰＯＳ端末に接続されることを特徴とする請求項１０又は１１に記載のテーブル一体型コンピュータ制御プロジェクタユニット。
【請求項１３】
前記ユニットが双方向の飲食物注文システムの一部を形成することを特徴とする請求項１乃至１２の何れか１項に記載のテーブル一体型コンピュータ制御プロジェクタユニット。
【請求項１４】
前記コンピュータ制御プロジェクタは、前記テーブルの表面の一部又は全部の上に飲食物選択オプションのメニューを投影することを特徴とする請求項１３に記載のテーブル一体型コンピュータ制御プロジェクタユニット。
【請求項１５】
前記選択オプションは、前記コンピュータに接続された、無線トラックパッドを含むインターフェイスデバイスを操作するユーザによって選択可能であることを特徴とする請求項１４に記載のテーブル一体型コンピュータ制御プロジェクタユニット。
【請求項１６】
前記ユニットが室内の異なる位置又は他の空間に移動可能であって取り外せないように設置されるものではない点で可搬性を有するものあることを特徴とする請求項１乃至１５の何れか１項に記載のテーブル一体型コンピュータ制御プロジェクタユニット。
【請求項１７】
電源及び処理のためのデータ接続のみを必要とすることを特徴とする請求項１乃至１６の何れか１項に記載のテーブル一体型コンピュータ制御プロジェクタユニット。
【請求項１８】
前記データ接続は、無線によるものであることを特徴とする請求項１７に記載のテーブル一体型コンピュータ制御プロジェクタユニット。
【請求項１９】
前記データ接続は、ケーブルに基づくものであることを特徴とする請求項１７に記載のテーブル一体型コンピュータ制御プロジェクタユニット。
【請求項２０】
前記スタンドは、前記テーブル及び前記映像システムを支持する一つ以上の剛性部材を含むことを特徴とする請求項１乃至１９の何れか１項に記載のテーブル一体型コンピュータ制御プロジェクタユニット。
【請求項２１】
前記スタンドは、床パネルに取り付けられる一つの直立した剛性部材であることを特徴とする請求項１乃至２０の何れか１項に記載のテーブル一体型コンピュータ制御プロジェクタユニット。
【請求項２２】
前記スタンドは、前記テーブルを支持する少なくとも一つの剛性部材と、前記映像システムを支持する異なる剛性部材とを含むことを特徴とする請求項１乃至２０の何れか１項に記載のテーブル一体型コンピュータ制御プロジェクタユニット。
【請求項２３】
モジュール式であって、その複数のユニットは大きな複合ユニットを形成するように同一平面上の嵌め合い端でくっつけることができることを特徴とする請求項１乃至２２の何れか１項に記載のテーブル一体型コンピュータ制御プロジェクタユニット。
【請求項２４】
電源ケーブルは、床を介して配されることを特徴とする請求項１乃至２３の何れか１項に記載のテーブル一体型コンピュータ制御プロジェクタユニット。
【請求項２５】
請求項１乃至２４の何れか１項に記載のテーブル一体型コンピュータ制御プロジェクタユニットを含む施設。
【発明の詳細な説明】
【技術分野】
【０００１】
本発明は、テーブル一体型コンピュータ制御プロジェクタユニットに関する。これは、表面上に映像を投影可能であることが有用であるようなあらゆる環境で使用することができる。例えば、双方向の飲食物注文システムにおいて使用することができ、コンピュータ制御プロジェクタは、飲食物の選択オプションのメニューが表面の一部又は全部の上に投影されるようにその表面の上方に取付けられる。かかるユニットを使用することができる他の環境としては、図書館、インターネットカフェのほか、投影される映像（液晶ディスプレイなどの表示パネルから映像とは対照的である）を使用する利点があるようないずれの場面をも含む。
【背景技術】
【０００２】
国際公開第２００８／０７１９７９号（この内容は参照によって組み込まれる）には、双方向の飲食物注文システムについて記載されており、それにおいてコンピュータ制御のプロジェクタは、飲食物の選択オプションのメニューが表面の一部又は全部の上に投影されるようにその表面の上方に取付けられる。選択オプションは、コンピュータに接続された、無線によるトラックパッドなどのインターフェイスデバイスを操作するユーザによって選択される。
【先行技術文献】
【特許文献】
【０００３】
【特許文献１】国際公開第２００８／０７１９７９号
【発明の概要】
【発明が解決しようとする課題】
【０００４】
しかし、従来技術のシステムは、天井に取付けられたプロジェクタを必要とするものであり、プロジェクタ及び関連するケーブルのために天井を改造しなければならないため、大幅にコストを要することとなる。
【０００５】
多くの場合、レストランに対して、国際公開公報ＷＯ２００８／０７１９７９に記載されたような双方向の飲食物注文システムを提供できることは非常に有用である。しかしながら、レストラン全体を改装するための投資は、かなり大きなものとなる。
【課題を解決するための手段】
【０００６】
本発明は、テーブル一体型コンピュータ制御プロジェクタユニットであって、（ａ）少なくとも一つのテーブルと、（ｂ）前記テーブルに接続されたスタンドと、（ｃ）コンピュータによって制御されるプロジェクタと、（ｄ）前記スタンドに取付けられた映像システムと、を備え、前記映像システムによって前記テーブル上に映像を投影可能である本ユニットはテーブルとコンピュータ制御プロジェクタユニットとの両方を組み合わせたものであるので、簡単に設置することができ、いずれの天井配線も必要としない。
【０００７】
本発明について、添付の図面を参照して説明する。
【図面の簡単な説明】
【０００８】
【図１】本発明で定義されるテーブル一体型コンピュータ制御プロジェクタユニットの斜視図である。
【図２】テーブル一体型コンピュータ制御プロジェクタユニットの別の斜視図である。
【図３】双方向の飲食物注文システムの一部として使用される場合の本ユニットの主な構成の概略図である。
【図４】実施の一例である。
【図５】実施の一例である。
【図６】実施の一例である。
【図７】実施の一例である。
【発明を実施するための形態】
【０００９】
図１及び図２を参照すると、本発明で定義されるテーブル一体型コンピュータ制御プロジェクタユニットの一例が示されている。Ｅ−テーブル（商標）（Ｅ−ＴａｂｌｅTM）と呼ばれるユニットは、直立したスタンドを含み、これは２台のテーブルを支持し、かつ、図７に示すようにそのスタンド頂部に各テーブルの上へ映像を投影する２台のプロジェクタユニットを支持する（１台のプロジェクタを使用することもできる）。この例では、映像システムはプロジェクタであり、そのプロジェクタは、スタンドに取り付けられ、テーブルの上方に配置され、笠によって囲われている。一つ以上のプロジェクタがスタンドに取り付けられてもよい。
【００１０】
代わりに、映像システムは、プロジェクタからの光をテーブルの上に反射するように向けられるミラーであってもよい。プロジェクタは、その場合、スタンドに取り付けられ、テーブルの下方に配置される。例えば、図４は、テーブル内に取り付けられたプロジェクタを持つユニットを示し、映像は改めて上方へ向けて投影され、ミラーを経てテーブルの表面の上へ反射される。この場合、ミラーは、テーブルからせり上がるようにスタンドに取付けられ、このため、プロジェクタとテーブルの組み合わせは、自己内蔵型で半可動となる。図５に示すように、笠がミラーの周囲に配置されてもよい。
【００１１】
テーブルは、コンピュータに接続される一つ以上の統合カーソル制御デバイスを含んでもよい。カーソル制御デバイスは、無線でコンピュータに接続されるトラックパッドでもよい。コンピュータは、テーブルの下方に取付けられてもよく、これはリモートサーバに接続してもよいし、また、電子ＰＯＳ端末（ＥＰＯＳ  ｔｅｒｍｉｎａｌ）に接続してもよい。コンピュータは、無線で又はケーブルによってリモートサーバ及び電子ＰＯＳ端末に接続してもよい。
【００１２】
好ましい実施例では、テーブル一体型コンピュータ制御プロジェクタユニットは、双方向の飲食物注文システムの一部を形成する。コンピュータ制御プロジェクタは、飲食物選択オプションのメニューをテーブル表面の一部又は全部の上に投影する。選択オプションは、コンピュータに接続された、無線によるトラックパッドなどのインターフェイスデバイスを操作するユーザによって選択可能である。
【００１３】
テーブル一体型コンピュータ制御プロジェクタユニットは、電源及び処理のためのデータ接続のみを必要とする。データ接続は、可搬性を確保するため無線であるが、それはまたケーブルに基づいてもよい。
【００１４】
スタンド自体は、テーブル及び映像システムを支持するように、一つ以上の剛性部材を含んでもよい。例えば、スタンドは、床パネル上に取付けられる一つの直立する剛性部材とすることができる。あるいは、スタンドは、テーブルを支持する少なくとも一つの剛性部材と、映像システムを支持する異なる剛性部材とを含むことができる。電源ケーブル及びデータケーブルは、床を経由して配することができ、天井を経由したいずれの配線も必要はない。
【００１５】
テーブル一体型コンピュータ制御プロジェクタユニットは、室内の異なる位置や他の空間に移動可能であって取り外せないように設置されるものではない点で可搬性を有するものであってもよい。テーブル一体型コンピュータ制御プロジェクタユニットはモジュール式であって、その複数のユニットは大きな複合ユニットを形成するように同一平面上の嵌め合い端でくっつけることができる。テーブルは、図６に示すように、列上で移動させることができるし、あるいは旋回させることができる。
【００１６】
双方向の飲食物注文システムの実施例には、４つの主要なコンポーネント、すなわち、サーバ、ネットワーク、（本発明で定義される）テーブル及びティル（ｔｉｌｌｓ）がある。
【００１７】
［サーバ］
サーバコンポーネントは、ｅ−テーブルのバックエンドサーバソフトウェアを実行する。サーバは、予備装置を有し、オフィスＰＣからコンテンツ管理システム（ＣＭＳ：Ｃｏｎｔｅｎｔ  Ｍａｎａｇｅｍｅｎｔ  Ｓｙｓｔｅｍ）を介して管理される。
【００１８】
［ネットワーク］
無線ネットワークのルータは、Ｗｉ−Ｆｉを介してテーブルタッチスクリーンを内部ネットワークへ接続する。サーバ、オフィスＰＣとベンタＥＰＯＳティル（Ｖｅｎｔａ  ＥＰＯＳ  ｔｉｌｌｓ）との両方は、内部ネットワークに物理的に接続される。ベンタＥＰＯＳプリンタは、カテゴリ５のシリアルを使用して内部ネットワークを介して物理的に接続される。
【００１９】
［テーブル］
クライアント（テーブルＰＣ）は、ＷｙｓｅＶ９０Ｌファンレスコンピュータ上で実行するように組み込まれたＷｉｎｄｏｗｓ  ＸＰ（登録商標）である。ビデオ出力は、頭上に取付けられたキャノン液晶プロジェクタを介して投影される。テーブルのタッチパッドは、プロテクトされたＢｌｕｅｔｏｏｔｈ（登録商標）のリンクを介して接続され、一度ペアリングされたタッチパッドは、ＣＯＭポートを経由してクライアントのコントロールパネルに、座標及びクリックデータを与える。
【００２０】
［ティル］
ティルは、ベンタプロＥＰＯＳ（Ｖｅｎｔａ  ｐｒｏ  ＥＰＯＳ）を実行し、バックアップ装置を持つことができる。各ティルは、カテゴリ５のシリアルを使用して物理的に接続されるプリンタを動作させる。
【００２１】
Ｅ−テーブルのタッチスクリーンソフトウェアは、サーバ、クライアント及びティルの三つの主要なコンポーネントに対して分かれている。
【００２２】
［サーバ］
Ｅ−テーブルのサーバは、Ｅ−テーブルシステムのハブとして機能し、すべてのＥ−テーブルのクライアントは、サーバを経由して接続する。そして、サーバは、品物を販売し、代金をプリントするためベンタＥＰＯＳ（Ｖｅｎｔａ  ＥＰＯＳ）と接続する。サーバは価格、商品、グループ情報を取得し、このデータをクライアントに戻す。
【００２３】
［クライアント］
Ｅ−テーブルのクライアントは、インタフェースに対面している顧客である。Ｅ−テーブルのインタフェースは、クライアントに対し、メニューを閲覧すること、品物を注文すること、ウェイターを呼び出すこと、会計を求めることなどを含む各種のことを可能とする。
【００２４】
［ティル］
ティルは、ベンタプロＥＰＯＳ（Ｖｅｎｔａ  ｐｒｏ  ＥＰＯＳ）を実行する。ベンタＥＰＯＳは、商品データベースであり、すべての商品情報を保持し、また、プリント処理を受け持ち、テーブルがいずれにグループ化されているかをサーバに通知することを担う。また、ベンタＥＰＯＳは、オフィスＰＣに情報を通知して提供する。
【図１】
2013502606.tif 000003
【図２】
2013502606.tif 000004
【図３】
2013502606.tif 000005
【図４】
2013502606.tif 000006
【図５】
2013502606.tif 000007
【図６】
2013502606.tif 000008
【図７】
2013502606.tif 000009
【国際調査報告】
2013502606.tif 000010
2013502606.tif 000011